(57)【要約】【課題】  塩化ビニル製天井クロスを変色させることなく、カバー着脱時に器具本体が天井面に対して回転することのない照明器具を提供する。【解決手段】  照明器具１は、天井面に設けられた引掛シーリングと機械的、電気的に接続されるアダプタと、前記アダプタと係合するホルダ６及び光源を具備した器具本体２と、器具本体２の下面側から光源４を覆って装着されるカバーと、器具本体２の上面側に備えられ、天井面側に弾発付勢された緩衝具３とを備え、緩衝具３の一端面側に先端が鋭角に形成された突部１０を複数設けるとともに、カバー５の回転方向と直交する方向において突部１０と線対称となる突部１８を複数設け、これら突部１０、１８を介して緩衝具３は天井面に弾接されている。【選択図】図１
2005243309.tif 000002
【特許請求の範囲】
【請求項１】
天井面に取り付けられる器具本体の下面側に、前記天井面に並行する面内で回転装着されて前記器具本体に具備した光源を覆うカバーを備え、前記天井面側に弾発付勢された緩衝具を前記器具本体の上面側に備え、前記緩衝具の一端面側に先端が鋭角に形成された突部を複数設けるとともに、前記カバーの回転方向と直交する方向において前記突部と線対称となる突部を複数設け、これら突部を介して前記緩衝具は前記天井面に弾接されていることを特徴とする照明器具。
【請求項２】
前記突部を部分的に集中させて設けて、前記緩衝具の一端面側において前記突部の集中部位以外の平坦部をスポンジパッキン配置用部位としていることを特徴とする請求項１記載の照明器具。
【請求項３】
前記突部を互いに所定の間隔を有して設けて、前記緩衝具の一端面側において前記突部間の部位をスポンジパッキン配置用部位としていることを特徴とする請求項１記載の照明器具。
【発明の詳細な説明】
【技術分野】
【０００１】
本発明は、天井取付型の照明器具に関する。
【背景技術】
【０００２】
天井取付型の照明器具は、本体に点灯回路を内蔵するとともに、器具本体の下面にランプ及びカバーを備えて構成されて、天井下面に配設された引掛シーリングにアダプタを介して、電気的、機械的に取り付けられるものであり、このような照明器具において、その器具本体の上面の周囲に、ガタツキ防止手段を構成するスポンジパッキンを全周に亘って設けているものが提供されている（特許文献１）。
【特許文献１】実用新案登録第２５４７２７５号公報（第１図）
【発明の開示】
【発明が解決しようとする課題】
【０００３】
上述の照明器具は、ガタツキ防止手段としてスポンジパッキンを用いており、このスポンジパッキンの弾性力による表面摩擦力によって、カバーを本体に着脱する際に器具本体が天井に対して回転しないようにするものである。
【０００４】
しかし、このようなスポンジパッキンを得るために使用される発泡剤は、塩化ビニルを変色させる成分を含んでいるため、上述の照明器具を塩化ビニル製天井クロスが張られている天井面に用いると、スポンジパッキンに含まれる発泡剤が塩化ビニル製天井クロスに移行することにより、塩化ビニル製天井クロスを変色させてしまうという問題を生じていた。
【０００５】
本発明は上述の点に鑑みて為されたもので、その目的は、塩化ビニル製天井クロスを変色させることなく、カバー着脱時に器具本体が天井面に対して回転することのない照明器具を提供することである。
【課題を解決するための手段】
【０００６】
上述の課題を解決するために、請求項１の発明では、天井面に取り付けられる器具本体の下面側に、前記天井面に並行する面内で回転装着されて前記器具本体に具備した光源を覆うカバーを備え、前記天井面側に弾発付勢された緩衝具を前記器具本体の上面側に備え、前記緩衝具の一端面側に先端が鋭角に形成された突部を複数設けるとともに、前記カバーの回転方向と直交する方向において前記突部と線対称となる突部を複数設け、これら突部を介して前記緩衝具は前記天井面に弾接されていることを特徴とする照明器具とした。
【０００７】
請求項１の発明によれば、天井面側に弾発付勢されて一端面側に設けた突部を介して天井面に弾接される緩衝具を備えているので、この緩衝具により器具本体のガタツキを緩和することができる。さらに、緩衝具の一端面側には、前記突部に加えて、該突部とカバーの回転方向と直交する方向において線対称となる突部を設けてあるので、塩化ビニル製天井クロスが用いられている天井面に対して、カバーをいずれの方向に回転させても、緩衝具の一面側と天井面との間の摩擦力が増大することになり、これにより、カバーの着脱時、照明器具の清掃時、光源の交換時等に器具本体が天井面に対して回転することを防止することができる。そのため、器具本体の回転防止のために従来のようにスポンジパッキンを用いる必要がなくなり、スポンジパッキンに含まれている発泡剤によって塩化ビニル製天井クロスに用いられている塩化ビニルを変色させてしまうことを回避できる。
【０００８】
請求項２の発明では、請求項１の発明の構成に加えて、前記突部を部分的に集中させて設けて、前記緩衝具の一端面側において前記突部の集中部位以外の平坦部をスポンジパッキン配置用部位としていることを特徴とする照明器具とした。
【０００９】
請求項２の発明によれば、固くて平坦な天井面、例えば木製や紙製の天井等に対して、効果的な突部による摩擦力が得られなくても、緩衝具の一端面側の平坦部にスポンジパッキンを配置することによって十分な摩擦力を得ることができる。
【００１０】
請求項３の発明では、請求項１の発明の構成に加えて、前記突部を互いに所定の間隔を有して設けて、前記緩衝具の一端面側において前記突部間の部位をスポンジパッキン配置用部位としていることを特徴とする照明器具とした。
【００１１】
請求項３の発明によれば、固くて平坦な天井面、例えば木製や紙製の天井等に対して、効果的な突部による摩擦力が得られなくても、緩衝具の一端面側の突部間の部位にスポンジパッキンを配置することによって十分な摩擦力を得ることができる。
【発明の効果】
【００１２】
本発明は、天井面側に弾発付勢されて一端面側に設けた突部を介して天井面に弾接される緩衝具を備えているので、この緩衝具により器具本体のガタツキを緩和することができるという効果がある。さらに、緩衝具の一端面側には、前記突部に加えて該突部とカバーの回転方向と直交する方向において線対称となる突部を設けてあるので、塩化ビニル製天井クロスが用いられている天井面に対して、カバーをいずれの方向に回転させても、緩衝具の一面側と天井面との間の摩擦力が増大することになり、これにより、カバーの着脱時、照明器具の清掃時、光源の交換時等に器具本体が天井面に対して回転することを防止することができるという効果があり、加えて、器具本体の回転防止のために従来のようにスポンジパッキンを用いる必要がなくなり、スポンジパッキンに含まれる発泡剤によって塩化ビニル製天井クロスに用いられている塩化ビニルを変色させてしまうことを回避することができるという効果がある。
【発明を実施するための最良の形態】
【００１３】
本発明の照明器具１は、図１、２に示すように、天井面８に設けられた引掛シーリング７に、引掛シーリング７と機械的、電気的に接続されるアダプタ（図示せず）を介して取り付けられるものであり、前記アダプタと係合するホルダ６及び環状の蛍光ランプのような光源４を具備した器具本体２と、器具本体２の下面側から光源４を覆って装着されるカバー５と、器具本体２の上面側に備えられ、天井面８側に弾発付勢された緩衝具３とを備え、緩衝具３の一端面側に先端が鋭角に形成された突部１０を複数設けるとともに、カバー５の回転方向と直交する方向において突部１０と線対称となる突部１８を複数設け、これら突部１０、１８を介して緩衝具３は天井面８に弾接されている。
【００１４】
引掛シーリング７は、例えば略円筒形状を有し、塩化ビニル製天井クロス（以下、塩ビクロスと省略する）で被覆された天井面８に取り付けられ、その上面側から電源に接続された電線が挿入されて後述する引掛栓刃受部（図示せず）に接続されている。また、引掛シーリング７の下面側には、引掛シーリング７の内部に備えた前記引掛栓刃受部に対応する栓刃挿通孔（図示せず）が設けられている。前記アダプタは、略円筒形状を有し、その上面側に引掛シーリング７の前記栓刃挿通孔を挿通して前記引掛栓刃受部に電気的に接続されて機械的に引掛保持される引掛栓刃（図示せず）が突設され、その下面側に、照明器具１に電力を供給するためのリード線１６を備えている。このリード線１６は一端部を前記引掛栓刃に接続され、他端部に照明器具１に接続するためのコネクタ１６ａを備えている。加えて、前記アダプタの側周部には、係合溝（図示せず）が設けられている。
【００１５】
器具本体２は、下面が開口した略円板形状の筐体であり、図１（ａ）に示すように器具本体２の略中央部に前記アダプタが挿通自在な開口部２ａを有している。この器具本体２の下面側には、光源４、及び光源４の点灯を行う点灯回路部１５が備えられており、点灯回路部１５は、前記アダプタのリード線１６のコネクタ１６ａが接続されて前記電源より電力が供給される。また、器具本体２の開口部２ａ周辺にはホルダ６が設けられており、ホルダ６は中央部に、開口部２ａと連通して前記アダプタを挿通自在とする保持孔６ａを備えている。またホルダ６の保持孔６ａの側周面には、前記アダプタに設けた前記係合溝と係合する係合爪９が保持孔６ａ内に向けて弾発付勢されるとともに、保持孔６ａ内に突退出自在に備えられている。このようなホルダ６は、器具本体２に設けたホルダ６の保持孔６ａに前記アダプタを位置させて、係合爪９を保持孔６ａ内に突出させて、前記アダプタの係合溝に係合させることで、器具本体２を前記アダプタに取り付けるものである。
【００１６】
カバー５は、例えば、透光性部材により上面が開口したドーム状に形成されたグローブを構成するものであり、器具本体２に備えられた光源４を覆って、器具本体２に天井面８に並行する面内で回転装着される。
【００１７】
緩衝具３は、図１、３（ａ）に示すように、中央部が開口した環状の枠体であるベース１２と、塩化ビニルに対して移行性のない材質を用いて、中央部が開口した環状の枠体に形成されたプレート枠１１と、弾性体であるコイルばね１３とから構成されている。
【００１８】
ベース１２は、上述したように中央部が開口した環状の枠体に形成されるとともに、その枠体部分に上面が開口した第１の収納部１２ａを有し、この第１の収納部１２ａは、コイルばね１３が、図１（ａ）に示すようにベース１２の円周を３等分する位置にそれぞれ配置され、各コイルばね１３は、図１（ｂ）に示すように、第１の収納部１２ａの底面に垂立して固着されている。また、ベース１２の前記開口の内縁上端部に、ベース１２の円周を６等分するように、第１の係止爪１９が６つ設けられている。
【００１９】
プレート枠１１は、上述したように中央部が開口した環状の枠体に形成されるとともに、平坦面である上面部１１ａを有し、その枠体部分に下面が開口した第２の収納部１１ｂを有し、上面部１１ａの内縁側に上面部１１ａを６等分するように、第２の収納部１１ｂに連通する略長方形状の孔部２０が６つ形成されている。この各孔部２０の下方に位置する第２の収納部１１ｂの内側下端部には第１の係止爪１９に係止される第２の係止爪２１が設けられている。また、プレート枠１１は、緩衝具３の一端面側となるプレート枠１１の上面部１１ａに、後述する突部１０、１８が設けられている。
【００２０】
前記突部１０は、図４（ｃ）に示すように頂点Ａ，Ｂ，Ｃ，Ｄからなる三角錐であり、辺ＡＢ、及び辺ＣＤの中点Ｍを通る断面が、図４（ｄ）に示すように、∠ＡＭＢが直角、頂角である∠ＢＡＭが鋭角の直角三角形となるように形成してある。このように形成された突部１０は、図５（ｃ）、（ｄ）に示すように、突部１０と同形状の前記突部１８に対してカバー５の回転方向と直交する方向において線対称となるようにプレート枠１１の上面部１１ａに配置される。このような突部１０、１８は、図５（ｃ）に示すように突部１０、１８を１組として、この１組の突部１０、１８を、図１（ａ）に示すようにプレート枠１１の上面部１１ａを周方向に６等分する位置に径方向に添って７組並設してある。
【００２１】
また、このプレート枠１１は、プレート枠１１の上面部１１ａに複数の突部１０、１８を一体に備えて構成されているが、図３（ｂ）に示すように、プレート枠１１の上面部１１ａに、複数の突部１０、１８を一体に備えたプレート枠カバー１７を被着して構成することとしてもよい。
【００２２】
そして、コイルばね１３が固着されたベース１２の上面側からプレート枠１１が、ベース１２及びプレート枠１１の中央部の開口を連通させるとともに、第２の収納部１１ｂにベース１２を収納するようにして被着され、各コイルばね１３の上端部と第２の収納部１１ｂの上底部とが当接されている。そして、ベース１２の第１の係止爪１９をプレート枠１１の係止孔部２０に露出させるとともに、第１の係止爪１９とプレート枠１１の第２の係止爪２１とを互いに係止させている。このようにして緩衝具３は構成され、プレート枠１１は、各コイルばね１３により天井面８側となる上方向に弾発付勢されて、上下方向に揺動自在にベース１２に支持されることとなり、また、ベース１２の第１の係止爪１９とプレート枠１１の第２の係止爪２１とを互いに係止させることにより、プレート枠１１とベース１２とが外れないようにしてある。そして、緩衝具３は、図１（ｂ）に示すように、中央部の開口から器具本体２の中央部、すなわち、開口部２ａ、及びホルダ６等を露出するとともに、図２に示すように、ベース１２の第１の収納部１２ａの底面部がねじ１４等により器具本体２の上面側に固着されて、器具本体２に設けられている。
【００２３】
このようにして構成された照明器具１において、器具本体２は、上面側に緩衝具３、上面部の中央部にホルダ６、及び下面側に点灯回路部１５を具備し、ホルダ６の保持孔６ａに、前記アダプタを挿入して、前記アダプタの係止溝にホルダ６の係合爪９を係合させて、前記アダプタに取り付けられている。
【００２４】
このとき、図２に示すように、プレート枠１１は、コイルばね１３により天井面８側に付勢されているため、緩衝具３の一端面側であるプレート枠１１の上面部１１ａが上面部１１ａに複数設けた突部１０、１８を介して天井面８に弾接することとなる。そして、前記アダプタのリード線１６のコネクタ１６ａを器具本体２の点灯回路部１５に接続し、器具本体２の下面側に光源４を具備させた後に、カバー５を装着することで照明器具１が天井面８に取り付けられることとなる。
【００２５】
次に、カバー５を着脱する際の照明器具１の挙動について説明する。カバー５は、天井面８に並行する面内で回転させることで器具本体２に着脱されるため、器具本体２は、カバー５からカバー５の回転方向に回転する力を受けることとなる。従って、カバー５の着脱時に器具本体２はカバー５とともに回転しようとする。このとき、本発明の照明器具１は、緩衝具３の一端面側に上述のような突部１０、１８を複数設けてあるため、コイルばね１３の付勢力により突部１０、１８の先部が天井面８を押圧して、天井面８をわずかに陥没させる。これにより、例えば、図５（ｃ）、（ｄ）において、カバー５を右方向に回転させた際には、器具本体２も同様に右方向に回転しようとするが、突部１０の先部が天井面８をわずかに陥没させているため、突部１０の先部が天井面８に対して直角な面ＡＣＤで天井面８に引っ掛かることとなり、プレート枠１１の上面部１１ａと天井面８との間の摩擦が増大し、器具本体２の天井面８に対する回転を防止することができる。なお、突部１８は、同様にその先部で天井面８を押圧して陥没させているものの、天井面８に対し鋭角な斜辺ＡＢでは、天井面８との引っ掛かりが弱いため、プレート枠１１の上面部１１ａと天井面８との間の摩擦にあまり影響を与えない。しかし、図５（ｃ）、（ｄ）において、カバー５を左方向に回転させた際には、突部１０と突部１８との役割が逆転して、器具本体２の天井面８に対する回転を防止することができる。
【００２６】
このように本発明の照明器具１は、天井面８側に弾発付勢されて緩衝具３の一端面側である緩衝具３のプレート枠１１の上面部１１ａに設けた突部１０、１８を介して天井面８に弾接される緩衝具３を備えているので、この緩衝具３により器具本体２のガタツキを緩和することができる。さらに、上面部１１ａに設けた突部１０、１８は、互いにカバー５の回転方向と直交する方向において線対称となるように配置されているので、カバー５をいずれの方向に回転させても、緩衝具３の上面部１１ａと天井面８との間の摩擦力が増大することになり、これにより、カバー５の着脱時、照明器具１の清掃時、光源４の交換時等に器具本体２が天井面に対して回転することを防止することができる。そのため、器具本体２の回転防止のために従来のようにスポンジパッキンを用いる必要がなくなり、スポンジパッキンに含まれる発泡剤によって塩ビクロスに用いられている塩化ビニルを変色させてしまうことを回避できる。
【００２７】
また、上述の緩衝具３は、プレート枠１１に設ける突部１０、１８の形状、密集度、配置位置等により、プレート枠１１の上面部１１ａの表面摩擦力を調整して、天井面８との間の摩擦力を調整することができる。以下に、図６乃至８を用いて表面摩擦力を調整したプレート枠１１の例について説明する（なお、図６乃至８においては、プレート枠１１の上面部１１ａのみを示し、その他の部位については省略してある。）。
【００２８】
例えば、突部１０、１８として図６（ｂ）、（ｃ）に示すような四角錐形状のものを用いることができ、この場合、突部１０、１８を図６（ｄ）に示すように隙間無く密集させてプレート枠１１の上面部１１ａに配置することで、突部１０、１８を図６（ａ）に示すようにプレート枠１１の上面部１１ａの全面に亘って設けることとしてもよい。また、図４（ｃ）、（ｄ）に示す突部１０、１８を、図５（ｃ）に示すように配置してこれを１組とし、図７（ａ）に示すようにプレート枠１１の上面部１１ａを周方向に３６等分する各部位に径方向に添って７組並設することとしてもよい。これらの場合、プレート枠１１の表面摩擦力を上述の図１に示すプレート枠１１よりも強めることができる。
【００２９】
逆に、プレート枠１１の表面摩擦力を弱めたい場合には、例えば、突部１０、１８を図５（ｃ）に示すように配置してこれを１組とし、この１組の突部１０、１８を、図８（ａ）に示すようにプレート枠１１の上面部１１ａを周方向に３６等分する各部位の外端部に径方向に添って２組並設することができる。また図８（ｂ）に示すように、突部１０、１８をプレート枠１１の上面部１１ａの内端部に図８（ａ）と同様にして設けることとしてもよい。さらに表面摩擦力を弱めたい場合、突部１０、１８を図５（ｃ）に示すように配置してこれを１組とし、この１組の突部１０、１８を、図７（ｂ）に示すようにプレート枠１１の上面部１１ａを周方向に３等分する各部位に径方向に添って７組並設することができる。
【００３０】
さらに、プレート枠１１の上面部１１ａの表面摩擦力を、突部１０、１８の形状により調整することができ、例えば、突部１０を図４（ａ）、（ｂ）に示すように、辺ＡＢ、及び辺ＣＤの中点Ｍを通る断面が、∠ＡＭＢが鋭角、頂角である∠ＢＡＭが鋭角の三角形であるような三角錐ＡＢＣＤとしてもよい。そして、このような突部１０を上述と同様に、図５（ａ）又は（ｂ）に示すように、プレート枠１１の上面部１１ａに配置して用いることができる。この場合、面ＡＣＤが天井面８に対して鋭角となっているため、上述の図４（ｃ）、（ｄ）に示す突部１０に比べて天井面８に対する引っ掛かりが弱く、プレート枠１１の上面部１１ａと天井面８との間の摩擦力が減少することになる。
【００３１】
一方、突部１０、１８を、図４（ｅ）、（ｆ）に示すように、辺ＡＢ、及び辺ＣＤの中点Ｍを通る断面が、∠ＡＭＢが鈍角、頂角∠ＢＡＭが鋭角の鈍角三角形であるような三角錐ＡＢＣＤとしてもよい。そして、このような突部１０を上述と同様に、図５（ｅ）又は（ｆ）に示すように、プレート枠１１の上面部１１ａに配置して用いることができる。この場合、面ＡＣＤが天井面８のカバーに対して鈍角となっているため、上述の図４（ｃ）、（ｄ）に示す突部１０に比べて天井面８に対する引っ掛かりが強く、プレート枠１１の上面部１１ａと天井面８との間の摩擦力が増加することになる。
【００３２】
本発明の緩衝具３は、塩ビクロス等で被覆された天井面８に対しては非常に効果が高いものであるが、天井面には、固くて平坦な木製天井や紙製材料を用いて天井面を被覆してあるもの等があり、このような木製や紙製の天井面に対しては、上述のような突部１０、１８では十分な摩擦力が得られないため、器具本体２の回転を防止するという効果が弱くなる。加えて、このような木製天井等は、スポンジパッキンに含まれる発泡剤によって変色されることがないため、照明器具１を取り付ける天井が木製天井等の場合、回転防止のためにスポンジパッキンを用いることが好ましい場合がある。
【００３３】
これに対し、図７及び図８に示す緩衝具３では、突部１０、１８を上述したように設けてあるため、突部１０、１８が設けられていない部位をスポンジパッキン配置用部位として用いることができ、或いは、突部１０、１８を互いに所定の間隔を有して設けているため、突部１０、１８間の部位をスポンジパッキン配置用部位として用いることができ、照明器具１を取り付ける天井面の状況に応じて使い分けることが可能になる。すなわち、必要に応じて緩衝具３の上面部１１ａにスポンジパッキンを取り付けることができる。従って、スポンジパッキンに含まれる発泡剤によって変色しない部材を用いた天井、例えば、木製や紙製の天井等に対しては、スポンジパッキンを用いて器具本体２の回転を防止することができる。
【図面の簡単な説明】
【００３４】
【図１】（ａ）は、本発明の照明器具の部分上面図であり、（ｂ）は、同上の照明器具のＡＡ矢視線における断面図である。
【図２】同上の照明器具の部分断面図である。
【図３】（ａ）は、同上の照明器具の緩衝具付近の概略説明図であり、（ｂ）は、同上の照明器具のその他の緩衝具付近の概略説明図である。
【図４】（ａ）は、その他の突部の上面図であり、（ｂ）は、同図（ａ）の突部の断面図であり、（ｃ）は、本発明の照明器具の突部の上面図であり、（ｄ）は、同図（ｃ）の断面図であり、（ｅ）は、さらにその他の突部の上面図であり、（ｆ）は、同図（ｅ）の断面図である。
【図５】（ａ）は、図４（ａ）の突部を備えた緩衝具の部分断面図であり、（ｂ）は、図４（ａ）の突部を備えたその他の緩衝具の部分断面図であり、（ｃ）は、図４（ｃ）の突部を備えた緩衝具の部分断面図であり、（ｄ）は、図４（ｃ）の突部を備えたその他の緩衝具の部分断面図であり、（ｅ）は、図４（ｅ）の突部を備えた緩衝具の部分断面図であり、（ｆ）は、図４（ｅ）の突部を備えたその他の緩衝具の部分断面図である。
【図６】（ａ）は、同上のその他の緩衝具の上面図であり、（ｂ）は、その他の緩衝具の突部の側面図であり、（ｃ）は、その他の緩衝具の突部の上面図であり、（ｄ）は、その他の緩衝具の部分拡大図である。
【図７】（ａ）は、同上のさらにその他の緩衝具の上面図であり、（ｂ）は、平坦部を設けた緩衝具の上面図である。
【図８】（ａ）は、平坦部を設けたその他の緩衝具の上面図であり、（ｂ）は、平坦部を設けたさらにその他の緩衝具の上面図である。
【符号の説明】
【００３５】
１    照明器具
２    器具本体
２ａ  開口部
３    緩衝具
６    ホルダ
６ａ  保持孔
９    係合爪
１０、１８  突部
１１    プレート枠
１１ａ  上面部
１１ｂ  第２の収納部
１２    ベース
１２ａ  第１の収納部
１３    コイルばね
１９    第１の係止爪
２０    孔部
２１    第２の係止爪
【図１】
2005243309.tif 000003
【図２】
2005243309.tif 000004
【図３】
2005243309.tif 000005
【図４】
2005243309.tif 000006
【図５】
2005243309.tif 000007
【図６】
2005243309.tif 000008
【図７】
2005243309.tif 000009
【図８】
2005243309.tif 000010